(57)【要約】      （修正有）【課題】仏像本体、台座及び光背を容易に交換可能であり、かつ、家庭の仏壇に配置できる小型の仏像を提供する。【解決手段】仏像本体と、台座３０と、光背４０とからなる仏像であって、台座に嵌め込み孔部３９を備え、光背に嵌め込み突起４１を備え、嵌め込み孔部と嵌め込み突起とは着脱可能であり、嵌め込み孔部に前記嵌め込み突起が挿入された状態において前記光背が前記接地面に平行な方向に回転せず、前記仏像本体は前記台座に固定されることなく載置されることを特徴とする仏像を提供する。【選択図】図２
0003192733.tif 000002
【実用新案登録請求の範囲】
【請求項１】
仏像本体と、台座と、光背とからなる仏像であって、
前記台座は、その上部に、平面上の設置面と、嵌め込み孔部とを備え、
前記光背は、その下部に、嵌め込み突起を備え、
前記嵌め込み孔部は前記嵌め込み突起を挿入して把持可能であり、
前記嵌め込み孔部と前記嵌め込み突起とは着脱可能であり、
前記嵌め込み孔部に前記嵌め込み突起が挿入された状態において、前記光背が前記接地面に平行な方向に回転せず、
前記仏像本体は前記台座に固定されることなく載置されることを特徴とする、仏像。
【請求項２】
前記仏像の高さは３０ｍｍ〜１１０ｍｍであり、
前記光背の高さは前記仏像の高さよりも大きく、
前記嵌め込み突起は上下に長い柱状であり、該柱の水平方向の断面における断面積が１０ｍｍ２以下であることを特徴とする、請求項１に記載の仏像。
【請求項３】
前記嵌め込み突起が平板状であり、前記嵌め込み孔部がスリット状であることを特徴とする、請求項１又は２に記載の仏像。
【請求項４】
２以上の前記嵌め込み突起及び２以上の前記嵌め込み孔部を備えることを特徴とする、請求項１又は２に記載の仏像。
【考案の詳細な説明】
【技術分野】
【０００１】
本考案は、仏像、特に家庭の仏壇に載置される仏像に関するものである。
【背景技術】
【０００２】
寺院では、一般的に、中心に本尊１体、その左右に２体又は４体の脇侍又は脇仏（以下脇侍又は脇仏のことを「脇侍」と言う。）、合計で３体又は５体の仏像が祀られている。一方、家庭の仏壇では、本尊１体と脇侍、特に合計５体を寺院と同様に祀ることはスペースの点で困難である。家庭用の仏壇で限られたスペースで祀る方法として、光背に脇侍２体を配置することが提案されている（特許文献１）。
【０００３】
寺院においては、釈迦如来、阿弥陀如来、大日如来等の本尊の像を交換せずに祀っている。各寺院、宗派に対応した本尊があり、固定されるためである。これに対し、家庭においては、仏壇も室内装飾の一部と考えることもでき、季節、嗜好等に合わせて台座、光背を交換することも行われ得る。また宗旨により、本尊を交換することも考えられる。特に、家庭においてはスペースの制約によって小型の仏像を使用するので、交換を容易に行うことができる。交換は、胡桃と黒檀のように材の異なる同位同仏でも、立位と坐位のように異位同仏でも、釈迦如来と阿弥陀如来のように異仏でもよい。家庭において、例えば家族が永眠した後、初七日に不動明王、五七日に地蔵菩薩、七七日に薬師如来というようにいわゆる十三仏を祀ることも考えられ、異仏の交換も考えられる。
【０００４】
仏像は、仏像本体、台座及び光背から構成される。仏像本体を交換する際、仏像本体を載置する台座及び光背は交換しないと考えられるが、以下の理由により光背を交換することも考えられる。（１）立位の仏像本体と坐位の仏像本体とではその高さが相違し、光背の高さもそれに合わせて相違する。（２）光背は、仏によって形状が異なる。仏像本体に合わせて光背を交換する。また、台座と光背を合わせて交換することも考えられる。
【先行技術文献】
【特許文献】
【０００５】
【特許文献１】特開２００２−０５１９０２号公報
【考案の概要】
【考案が解決しようとする課題】
【０００６】
本考案は、仏像本体、台座及び光背を容易に交換可能であり、かつ、家庭の仏壇に配置できる小型の仏像を提供することを課題とする。
【課題を解決するための手段】
【０００７】
本考案の仏像は、
仏像本体と、台座と、光背とからなる仏像であって、
前記台座は、その上部に、平面上の設置面と、嵌め込み孔部とを備え、
前記光背は、その下部に、嵌め込み突起を備え、
前記嵌め込み孔部は前記嵌め込み突起を挿入して把持可能であり、
前記嵌め込み孔部と前記嵌め込み突起とは着脱可能であり、
前記嵌め込み孔部に前記嵌め込み突起が挿入された状態において、前記光背が前記接地面に平行な方向に回転せず、
前記仏像本体は前記台座に固定されることなく載置されることを特徴とする。
【０００８】
台座の嵌め込み孔部と光背の嵌め込み突起とが着脱可能であるので、台座の上で任意の仏像本体と光背とを組合せることができる。また、台座の上で光背の向きが固定され、仏像を載置する場所及び方向が定まる。
【０００９】
本考案の仏像は、
前記仏像の高さは３０ｍｍ〜１１０ｍｍであり、
前記光背の高さは前記仏像の高さよりも大きく、
前記嵌め込み突起は上下に長い柱状であり、該柱の水平方向の断面における断面積が１０ｍｍ２以下であることを特徴とする。
【００１０】
家庭の仏壇に祀ることのできる大きさである。また、本尊と脇侍の合計で３体又は５体を祀ることもできる。
【００１１】
仏像全体が小さくなるため、嵌め込み突起及び嵌め込み孔部も小さくなる。このため、嵌め込み突起及び嵌め込み孔部の加工が困難であったため、従来の仏像はより大きなものであった。出願人は、加工を工夫して小さな台座及び光背を実現した。
【００１２】
本考案の仏像は、
前記嵌め込み突起が平板状であり、前記嵌め込み孔部がスリット状であることを特徴とする。
【００１３】
平板をスリットに挿入することで、光背が台座面に対して回転しないようになる。
【００１４】
本考案の仏像は、
２以上の前記嵌め込み突起及び２以上の前記嵌め込み孔部を備えることを特徴とする。
【００１５】
２以上の嵌め込み突起及び２以上の嵌め込み孔部によっても、光背が台座面に対して回転しないようになる。
【考案の効果】
【００１６】
本考案によれば、仏像本体及び光背を容易に交換可能であり、かつ、家庭の仏壇に配置できる小型の仏像が提供される。
【図面の簡単な説明】
【００１７】
【図１】図１は、本考案の仏像の一実施例の正面図である。
【図２】図２は、台座、嵌め込み孔部、光背、嵌め込み突起を示す図である。
【図３】図３は、台座、嵌め込み孔部、光背、嵌め込み突起の別形態を示す図である。
【考案を実施するための形態】
【００１８】
以下、本考案の実施形態を、説明する。
【００１９】
図１は、仏像１０の全体図である。仏像は、仏像本体２０と、台座３０と、光背４０からなる。
【００２０】
仏像本体２０は、木材、石材、金属等により作られる。木材の場合には、例えば、胡桃、桧、柘植、白檀、楠等が用いられ、木地仏（木彫によるもの）であるか、それに金泥書き、切金加工、載金加工、彩色加工等を加えて、立体的な仏像に作り上げられる。また、石材の場合も同様に、彫刻などの加工により立体的な仏像とされる。一方、金属の場合には、鋳造により、立体的な仏像に作り上げられる。
【００２１】
台座３０は、仏像本体を設置する面である蓮肉３１（設置面：蓮弁３２の内部にあり図では見えていない）、蓮肉３１の下部に設けられ蓮肉３１の外周を覆う蓮弁３２、蓮弁３２を支持する上敷茄子３３、上敷茄子３３を支持する華の形状をあしらった華盤３４、華盤３４を支持する下敷茄子３５、下敷茄子３５の下部に設けられる華の形状をあしらった反華３６、台座３０の土台となる二段框座３７と二重框座３８から構成される。
【００２２】
台座２０の構成部品それぞれは、木材、例えば、胡桃、桧、柘植、白檀、楠等が用いられる。台座２０は、木地（木彫によるもの）であるか、それに塗装加工、金泥書き、切金加工、載金加工、彩色加工等を加えて成形される。その上で、蓮肉３１、蓮弁３２、上敷茄子３３、華盤３４、下敷茄子３５、反華３６、二段框座３７及び二重框座３８は、互いに嵌め込まれて固定されている。
【００２３】
図２（Ａ）は、台座２０の平面図である。蓮肉３１には、光背４０の嵌め込み突起４１が嵌め込まれるための嵌め込み孔部３９が設けられている。嵌め込み孔部３９は、後述の嵌め込み突起４１が隙間なく挿入されるよう、スリット状である。
【００２４】
嵌め込み孔部３９の形成に当たっては、蓮肉３１の所定の場所に、錐で小さな孔を穿孔した上でその孔に糸鋸を挿入して所定の面積と形状を持つ嵌め込み孔部３９を仕上げる。仏像本体の高さが４０ｍｍ程度であるとすると、スリットの幅は最大でも３ｍｍ程度である。嵌め込み孔部３９を形成するために職人の熟練を要する。このため、仏像本体が大きなものであった。
【００２５】
図２（Ｂ）に光背４０を示す。光背は、後光，御光ともいい，仏の放つ光明を象徴して、かたどったものである。仏の光明は色光と心光とに分けられ、色光とは仏身より外に向かって発せられる光，つまり身光である。心光とは仏にそなわる智徳円満の光，すなわち智恵光である。仏は内に智徳が充満することによって，おのずから外に光輝があらわれると考えられた。したがって、光背４０は、仏像本体２０の背後に配置される（図１参照）。
【００２６】
光背４０は、木材、例えば、胡桃、桧、柘植、白檀、楠等が用いられ、木地（木彫によるもの）であるか、それに塗装加工、金泥書き、切金加工、載金加工、彩色加工等を加えて一体的に成形される。光背４０には、光背４０の仏像本体２０の頭部に対応する位置に頭光４２が、その下部で仏像本体２０の身体に対応する位置に身光４３が設けられる。頭光４２は、仏像本体２０の頭部から発せられる知恵光を表したものであり、また、身光４３は、仏像本体２０の身体から発する光を表したものである。
【００２７】
光背４０の底面には、台座２０に嵌め込むための嵌め込み突起４１が設けられている。嵌め込み突起４１は、図において左右に幅を有しているが、図の奥行方向には薄い平板状である。平板状の嵌め込み突起４１がスリット状の嵌め込み孔部３９に挿入されるため、挿入後に台座面上で光背が回転することはない。
【００２８】
図３（Ａ）及び（Ｂ）に、嵌め込み孔部３９及び嵌め込み突起４１の別形態を示す。嵌め込み孔部３９及び嵌め込み突起４１がそれぞれ２つ設けられている。この場合、嵌め込み突起４１が円柱状で、嵌め込み孔部３９が円筒状であっても、台座面上で光背が回転することはない。嵌め込み孔部３９の形成が容易になる。
【００２９】
仏像本体２０、台座３０及び光背４０を使用者が選択し、台座３０に光背４０を、台座３０の嵌め込み孔部３９に光背４０の嵌め込み突起４１を嵌め込む。次に、台座３０の蓮肉３１に仏像本体２０を載せることで、仏像１０が完成する。仏像本体２０、台座３０及び光背４０を任意に組み合わせることができる。
【符号の説明】
【００３０】
１０  …  仏像
２０  …  仏像本体
３０  …  台座
３１  …  蓮肉（設置面）
３２  …  蓮弁
３３  …  上敷茄子
３４  …  華盤
３５  …  下敷茄子
３６  …  反華
３７  …  二段框座
３８  …  二重框座
３９  …  嵌め込み孔部
４０  …  光背
４１  …  嵌め込み突起
４２  …  頭光
４３  …  身光
【図１】
0003192733.tif 000003
【図２】
0003192733.tif 000004
【図３】
0003192733.tif 000005